(57)【要約】【課題】    全体形状を小型に形成すると共に防振性能を備えたエアコン室外機の据付け台を提供すること。【解決手段】    エアコン室外機２０の四隅に設けた取付け板２１に装着する据付け台１がゴム製であり、据付け台１は台本体２の頂部から連結ボルト３を突出している。台本体２の頂部にエアコン室外機２０の取付け板２１と据付け台１を平行に設置するための目安とする縦横の基準線８，９を設けている。台本体２の底部に滑り止め効果を奏する複数本の細溝１０を設けている。台本体２の裾部両側にフランジ４を設け、フランジ４にアンカーボルトを結合するための透孔６を形成している。【選択図】    図１
2005140357.tif 000002
【特許請求の範囲】
【請求項１】
エアコン室外機の四隅に設けた取付け板に装着する据付け台がゴム製であり、該据付け台は台本体（２）の頂部から連結ボルト（３）を突出したことを特徴とするエアコン室外機の据付け台。
【請求項２】
台本体（２）の頂部にエアコン室外機の取付け板と据付け台を平行に設置するための目安とする縦横の基準線（８，９）を設けたことを特徴とする請求項１に記載のエアコン室外機の据付け台。
【請求項３】
台本体（２）の底部に滑り止め効果を奏する複数本の細溝（１０）を設けたことを特徴とする請求項１又は２に記載のエアコン室外機の据付け台。
【請求項４】
台本体（２）の裾部両側にフランジ（４）を設け、該フランジにアンカーボルトを結合するための透孔（６）を形成したことを特徴とする請求項１から３のいずれかに記載のエアコン室外機の据付け台。
【発明の詳細な説明】
【技術分野】
【０００１】
本発明は、エアコン室外機の据付け台に関している。
【背景技術】
【０００２】
エアコンの室外機、特に家庭用のエアコン室外機の場合、古くはコンクリートブロック等の上に載置するだけで設置していること多かったが、やがて専用の据付け台が開発されてきた。
【０００３】
【特許文献１】実開平６−８００９９号公開実用新案公報
【特許文献２】第３００７６６１号登録実用新案公報
【０００４】
特許文献１に記載の考案は、一対で設けられた中空台形基台２が互いに接近離間可能であって、エアコンに設けられた連結板と結合するためのボルト軸部１１の位置を変更できるものであり、また、特許文献２に記載の考案は、エアコンに設けられた連結板と結合するための連結用のボルト１０を取付溝７内で移動させるものである。
【０００５】
また、上記の特許文献に記載はないが、多くの据付け台は防振効果を奏させるために据付け台にゴム製の防振マットを敷いている。しかし、この方法は据付け作業に時間がかかり作業能率を悪くする原因となるものであった。
【０００６】
エアコンの据付工事が集中する夏季シーズンにおいて、据付工事に向かう作業車両は複数台の機材を搭載しているので、可能な限り沢山の機材を搭載することが作業効率を高めるものであり、このためには、全ての機材が場所を取らないことが要求される。この点、特許文献１，２に記載された考案は、いずれも据付け台自体がエアコンの横幅と概ね等しいかそれ以上の長さを有しているので、エアコン１台について２組の据付け台を搭載すると、据付け台だけでも作業車両の荷台を塞げてしまうものであった。
【０００７】
上記した現状において据付け台がコンパクトな形状になれば、据付工事に向かう作業車両に搭載できるエアコンの数が増え、据付作業を効率よく行うことが可能となる。
【発明の開示】
【発明が解決しようとする課題】
【０００８】
本発明は、全体形状を小型に形成すると共に防振性能を備えたエアコン室外機の据付け台を提供することを課題としている。
【課題を解決するための手段】
【０００９】
解決手段は、エアコン室外機の四隅に設けた取付け板に装着する据付け台がゴム製であり、該据付け台は台本体の頂部から連結ボルトを突出したことを特徴とするものである。また、台本体の頂部にエアコン室外機の取付け板と据付け台を平行に設置するための目安とする縦横の基準線を設けたことを特徴とする。また、台本体の底部に滑り止め効果を奏する複数本の細溝を設けたことを特徴とする。さらに又、台本体の裾部両側にフランジを設け、該フランジにアンカーボルトを結合するための透孔を形成したことを特徴とするものである。
【発明の効果】
【００１０】
本発明は、据付け台がゴム製であると共に底部に細溝が形成されているから、防振効果と滑り止め効果があり、エアコン室外機が安定よく設置ができるものである。また、据付け台はエアコン室外機の四隅に設けた取付け板と結合する連結ボルトを備えただけの大きさなので、形状が小型であり設置に場所をとらないと同時に運搬時にも作業車両の荷台を塞げないものである。
【発明を実施するための最良の形態】
【００１１】
図において、エアコン室外機の四隅に設けられた取付け板と結合する据付け台１がゴム製であり、該据付け台１は正面視台形に形成された台本体２の頂部から連結ボルト３を突出すると共に裾部両側にフランジ４を形成したものである。
【００１２】
連結ボルト３は、ボルト頭部５を台本体２内に埋設し軸部を当該台本体２の頂部から突出させたものである。また、フランジ４は、据付け台１を図示しないアンカーボルトに結合するための透孔６を有している。なお、台本体２は資材の節約と重量軽減のために底部に開口する凹穴７を形成している。
【００１３】
また、台本体２の頂部には、エアコン室外機２０を据え付ける際に、エアコン室外機２０の取付け板２１と据付け台１を平行に設置するための目安とする縦横の基準線８，９を設けている。さらに又、台本体２の底部には、滑り止め効果を奏する複数本の細溝１０を設けている。
【００１４】
基準線８，９は、据付け台１の資材とは異なる色彩による印刷をするか又は溝を形成するものであるが、本実施形態においては溝を形成している。また、細溝１０は、本実施形態では一方向の溝としているが、溝の方向は縦横方向又は斜め方向のどちらでも良い。
【００１５】
２２は連結ボルト３にねじ結合したナット、２３は平ワッシャー、２４は連結ボルト３に挿通するＨ穴ワッシャーであり、連結ボルト３を挿入する穴部分が平面視Ｈ字状に形成されたものである。２５はアンカーボルトである。
【００１６】
次に、エアコン室外機を据え付ける作業手順を説明する。エアコン室外機２０には四隅に据付け台１に取り付けるための取付け板２１を有しているから、エアコン室外機２０を横にして取付け板２１のボルト穴２２に据付け台１の連結ボルト３の軸部を挿入し、該取付け板２１から突出した連結ボルト３の軸部に平ワッシャー２３を装着しナット２２を仮止めする。
【００１７】
エアコン室外機２０の四隅に設けられた全ての取付け板２１に据付け台１が結合できたら、エアコン室外機２０を起し、台本体２の頂部に形成した基準線８，９を目安にして据付け台１と取付け板２１が平行になるように調整する。そして連結ボルト３に仮止めしておいたナット２２をしっかり結合すれば据付け作業が終了する。
【００１８】
図５に示すＨ穴ワッシャーを使用すれば、ナット締めを省略できる場合がある。図６に示すように、Ｈ穴ワッシャー２４を連結ボルト３のボルト軸に挿入すると、Ｈ字状の部分が連結ボルト３によって押し広げられるがボルト軸を通す穴部分は当該連結ボルト３の谷部に係合しているので、Ｈ穴ワッシャー２４を装着した時点で据付け台１とエアコン室外機２０が脱落しないで結合される。ただし、Ｈ穴ワッシャー２４の上にナット（２２）をねじ結合した方が確実な据え付けが得られることは勿論である。
【００１９】
据付け台１はゴム製であり、しかも底部には細溝１０が形成されているので、エアコン室外機２０の設置場所が高層住宅のベランダのようにコンクリート面であったとしても、据付け台資材の防振効果と細溝１０の滑り止め効果によりエアコン室外機２０は安定良く設置される。ただし、より安全にエアコン室外機２０を設置する場合は、図２に示すように、設置するコンクリート面にアンカーボルト２５を打込み、該アンカーボルト２５を台本体２のフランジ４に設けた透孔６に挿入しナット締めをする。
【産業上の利用可能性】
【００２０】
据付け台が防振性能を有し形状が小型になっているので、取り扱いが容易であり同時に運搬時に場所を塞がないので、作業車両に搭載できるエアコンの数が増え作業効率が向上する。
【図面の簡単な説明】
【００２１】
【図１】据付け台を示す全体の斜視図。
【図２】据付け台の断面図。
【図３】据付け台の底面図。
【図４】エアコン室外機を据え付けた状態を示す斜視図。
【図５】Ｈ穴ワッシャーの斜視図。
【図６】Ｈ穴ワッシャーの使用状態を示す据付け台の断面図。
【符号の説明】
【００２２】
１  据付け台
２  台本体
３  連結ボルト
４  フランジ
５  ボルト頭部
６  透孔
７  凹穴
８  基準線
９  基準線
１０  細溝
２０  エアコン室外機
２１  取付け板
２２  ナット
２３  平ワッシャー
２４  Ｈ穴ワッシャー
２５  アンカーボルト
【図１】
2005140357.tif 000003
【図２】
2005140357.tif 000004
【図３】
2005140357.tif 000005
【図４】
2005140357.tif 000006
【図５】
2005140357.tif 000007
【図６】
2005140357.tif 000008